(57)【要約】【課題】上位コンピュータから離れた場所に設置されたプリンタ装置に出力する場合など、オペレータが印刷装置に到着する以前に印刷物が出力されてしまった場合に、他人に印刷結果を読まれてしまう可能性が生じる問題があった。【解決手段】プリンタドライバを備えた上位コンピュータと、該上位コンピュータから印刷データを受信し、前記印刷データを展開してラスタデータに変換する展開処理部と大容量記録装置とを備えた印刷装置とからなる印刷システムにおいて、前記プリンタドライバに、暗証番号を印刷データの１部に加えて送信する手段を設け、印刷システムに、ユーザインタフェースから暗証番号を入力させる手段と前記入力された暗証番号と印刷データに含まれる暗証番号とが一致した時に印刷を開始する手段とを設けたことを特徴とする。【選択図】図１
2004355461.tif 000002
【特許請求の範囲】
【請求項１】
プリンタドライバを備えた上位コンピュータと、該上位コンピュータから印刷データを受信し、前記印刷データを展開してラスタデータに変換する展開処理部と大容量記録装置とを備えた印刷装置とからなる印刷システムにおいて、前記プリンタドライバに、暗証番号を印刷データの１部に加えて送信する手段を設け、印刷システムに、ユーザインタフェースから暗証番号を入力させる手段と前記入力された暗証番号と印刷データに含まれる暗証番号とが一致した時に印刷を開始する手段とを設けたことを特徴とする印刷システム。
【発明の詳細な説明】
【０００１】
【発明の属する技術分野】
本発明は、上位コンピュータから印刷データを受信し、該印刷データの解析と展開を行い、印刷の制御を行う印刷システムに関するものである。
【０００２】
【従来の技術】
図４にハードディスクなど大容量記憶装置を備えた印刷システムの構成を示す。
【０００３】
上位コンピュータ４は、プリンタドライバ５に印刷データを作成させる命令を発行し、プリンタドライバ５で作成した印刷データを印刷装置６へ送信する機能を有している。印刷装置６では、受信処理７で印刷データを受信し、そのデータを受信バッファ１１へ格納する。
【０００４】
受信処理７のデータ受信と並行して、展開処理８は、受信バッファ１１のデータを順次読み出して解析し、描画データを作成し、描画メモリ１２へ書き込む。一頁分の描画データの作成が終了すると、描画データを大容量記録装置１３に転送する。エンジン制御処理１４では、１ジョブ分の展開処理が終了すると、大容量記録装置１３に格納されている前記１ジョブ分の描画データを読出し、印刷動作を実行する。また、印刷装置６には、印刷装置の状態を表示したり、印刷する為のパラメータを設定する操作パネル９を有し、その操作パネル９は操作パネル処理１０によって制御される。
【０００５】
次に、印刷装置の制御手順を図３により説明する。
【０００６】
上位コンピュータ４から送信されたデータを受信し、前記データを順次読み出し、描画データを作成する。１ページ分の描画データの作成を完了するまで前記処理を繰返す。１ページ分の描画データの作成を完了した場合には、描画データを大容量記憶装置１３に転送する。１ジョブ分の描画データを大容量記憶装置１３に転送を完了するまで繰返す。１ジョブ分の転送完了後、エンジン制御処理１４へ印字命令を行い、前記大容量記憶装置１３に格納した描画データを印刷する。印刷終了後、前記大容量記憶装置１３に格納した描画データを削除することで、印刷動作を完了する。
【０００７】
プリントドライバ５では、上位コンピュータ４で作成したアプリケージョンデータ、用紙サイズなどプリントドライバで設定可能なデータを元に、印刷データを作成する。前記印刷データは図６に示すように、印刷形式情報を納めたヘッダー部と印刷データ部で構成される。
【０００８】
【発明が解決しようとする課題】
前記の従来の印刷システムにおいては、個人情報など他人に読まれたくない印刷をする場合であっても、印刷データを送信すると印刷装置は順次印刷する。このため、上位コンピュータから離れた場所に設置された印刷装置に出力する場合など、オペレータが印刷装置に到着する以前に印刷物が出力されてしまった場合に、他人に印刷結果を読まれてしまう可能性が生じるという問題があった。
【０００９】
【課題を解決するための手段】
上記課題は、プリンタドライバを備えた上位コンピュータと、該上位コンピュータから印刷データを受信し、前記印刷データを展開してラスタデータに変換する展開処理部と大容量記録装置とを備えた印刷装置とからなる印刷システムにおいて、前記プリンタドライバに、暗証番号を印刷データの１部に加えて送信する手段を設け、印刷システムに、ユーザインタフェースから暗証番号を入力させる手段と前記入力された暗証番号と印刷データに含まれる暗証番号とが一致した時に印刷を開始する手段とを設けることによって解決される。
【００１０】
【発明の実施の形態】
以下本発明の一実施例を、図１、図２及び図５により説明する。
【００１１】
図２において、図４の従来のプリンタドライバ５に対して、本発明では、新たに暗証番号入力処理１５と暗証番号送信処理１６を追加している。新たに追加した暗証番号入力処理１５では、暗証番号を入力させる機能を持ち、また暗証番号送信処理１６では、前記入力された暗証番号を図５に示すように印刷形式情報の一部に暗証番号情報２２を組込む機能を有している。さらに、印刷装置６では、展開処理８に暗証番号送信処理１６により送信された暗証番号を読み出す機能とその読み出した暗証番号を暗証番号格納テーブル２０に保存する機能を有する暗証番号認識処理１７を設け、操作パネル処理１０にはオペレータに暗証番号を入力させる機能を有する暗証番号入力処理１８と、前記入力された暗証番号を前記暗証番号格納テーブル２０と比較して同じ暗証番号があった場合は、暗証番号格納テーブル２０の該当暗号番号のテーブルの暗証番号入力済みフラグ２１を暗証番号入力有り状態にする機能を有する暗証番号比較処理１９とを追加している。
【００１２】
次に印刷処理について図１と図２により説明する。図３の従来処理と比べ、本発明では、暗証番号入力判定処理１を追加している。暗証番号入力判定処理１では、暗号番号格納テーブル２０の暗証番号入力済みフラグ２１を参照し（Ｓ０１）、暗証番号が入力されていない場合は、従来処理処理同様にデータを受信し描画データを作成する。暗証番号受信判定処理２では受信したデータの中に、暗証番号情報が含まれているか否か判定し、含まれていた場合は、暗号番号格納テーブル２０に情報をセットする。１ページ分の描画データの作成を完了するまで、前記処理を繰返す。
【００１３】
１ページ分の描画データの作成を完了した場合には、描画データを大容量記憶装置１３に転送する。１ジョブ分の描画データを大容量記憶装置１３に転送完了するまで前記処理を繰返す。１ジョブ分の転送が完了後、暗証番号指定印刷判定処理３で、展開済みのデータが暗証番号入力有りのジョブでない場合はエンジン制御処理１４へ印字命令を行い、暗証番号入力有りのジョブの場合は、エンジン制御処理１４へ印字命令に印字命令せずに、そのまま終了する。（Ｓ０１）において、暗証番号の入力がある場合で、印刷システムがアイドル状態の場合は、暗証番号格納テーブル２０の該当テーブルをリセットし、エンジン制御処理１４へ該当印刷データの印字命令を出すことによって、課題を解決した。
【００１４】
【発明の効果】
本発明によれば、上位ホコンピュータから離れた場所に設置されたプリンタ装置に出力する場合など、オペレータが、印刷装置に到着する以前に印刷物が出力されてしまう条件であっても、暗証番号入力無しに印刷を開始しないことから、他人に印刷結果を読まれずに出力させることが可能となる。
【図面の簡単な説明】
【図１】本発明の一実施例の印刷システム動作フロー図。
【図２】本発明の一実施例の印刷システム構成図。
【図３】従来の印刷システム動作フロー図。
【図４】従来の印刷システム構成図。
【図５】本発明の一実施例の印刷データ説明図。
【図６】従来の印刷データ説明図。
【符号の説明】
１は暗証番号入力判定処理、２は暗証番号受信判定処理、３は暗証番号指定印刷判定処理、４は上位コンピュータ、５はプリンタドライバ、６は印刷装置である。
【図１】
2004355461.tif 000003
【図２】
2004355461.tif 000004
【図３】
2004355461.tif 000005
【図４】
2004355461.tif 000006
【図５】
2004355461.tif 000007
【図６】
2004355461.tif 000008